Podtech/llm-jp-corpus-v4-ja_patent huggingface dataset:
(57)【要約】【課題】  尿瓶を尿収納部は男女共用にし、従来型の横型にも縦型に置いても使用可能で男性用、女性用の受け口部を設けた尿瓶で、２箇所の弁により完全に漏れと臭気を防止する、こぼれない横型縦型兼用できる尿瓶。【解決手段】  合成樹脂製の尿瓶（１）の尿収納部は男女共用にし、横型にも縦型にも置ける形状に成形した尿瓶の尿受け部（２）に男性用受け口部（３）、あるいは女性用受け口部（４）を挿入する、受け口部（３）、（４）の内部に玉型弁（５）を設け、つまみ（６）を左右一方向に９０度回転させることで、玉型弁（５）が開き、尿を尿瓶の中の尿収納部に排尿できる、排尿後、つまみ（６）を左右一方向に９０度回転させると玉型弁（５）は閉まり、２箇所の弁のため、尿のこぼれがなく、また尿の臭気も漏れないことを特徴とするこぼれない横型縦型兼用尿瓶。また縦型に置くときの置き台が不要である。【選択図】図１
2007301329.tif 000002
【特許請求の範囲】
【請求項１】
尿瓶の尿収納部を男女共用にし、横型、縦型に置くことができる形状で、こぼれない横型縦型兼用できる尿瓶。
【請求項２】
尿瓶の尿収納部を男女共用にし、尿受け部に男性用受け口部、女性用受け口部を設けたことを特徴とする請求項１記載のこぼれない横型縦型兼用できる尿瓶。
【請求項３】
男性用受け口部、女性受け口部の内部の玉型弁を設け、尿瓶にネジ込みで取付け、上部つまみを左右の一方向に９０度回転することで尿路を開閉できる構造にした二重の弁で、尿漏れと尿の臭気を完全にとめたことを特徴とする請求項１〜２記載のこぼれない横型縦型兼用できる尿瓶。
【請求項４】
男性用受け口部の内部はねじ込む構造にし、女性用尿受け口部が男性用尿受け口部に取り付けることも容易に可能な構造に出来る請求項１〜３記載のこぼれない横型、縦型兼用できる尿瓶。
【請求項５】
縦型にスタンド台が不要の請求項１〜４記載のこぼれない横型、縦型兼用できる尿瓶。
【発明の詳細な説明】
【技術分野】
【０００１】  本発明は、尿瓶の先端部男女別挿入口から尿がこぼれない機構を設け、又臭気が尿瓶からもれない縦型置き、横型置き両用に使える尿瓶に関するものである。
【背景技術】
【０００２】  従来は、殆どがガラス製、又は合成樹脂製の主に横置きの尿瓶が多く、縦置きの尿瓶にはスタンド台が使用されている。病人、高齢者の夜間用、介護用の尿瓶で、男性用、女性用があり、尿受け口部に簡単な着脱自在の蓋を設けた尿瓶、蓋のない尿瓶等が出回っている。次のような尿瓶が特許登録、特許公開されている
【特許文献１】  特許３４７７３７８
【非特許文献１】  特開２００２−０６５５０７
【非特許文献２】  特開２００２−９５６０８
【発明の開示】
【発明が解決しようとする課題】
【０００３】  それには次のような問題点があった。
（イ）尿瓶は殆ど横型である。
（ロ）縦型の尿瓶は、ステンレス製等のスタンドを使用しなければならない。
（ハ）横型、縦型兼用の尿瓶はない
（ニ）尿受け口には簡単な着脱自在の蓋があるもの、無い物等があり、暗い時、つまずいた時に、尿をこぼすことがある。
（ホ）漏れ、尿の臭気防止装置がなく、部屋中に尿の臭いが残る。
（ヘ）ガラス瓶製の尿瓶が多く、取り扱いに気をつかう。
（ト）こぼれない尿瓶、密閉され臭いの出ない尿瓶はない。
（チ）縦置き、横置き兼用でき、玉型弁で臭気のもれない尿瓶はない。
（リ）女性用の受け口部を取付け、男性用と兼用できる尿瓶はない。
本発明は、以上の問題点を解決するためのものである。
【課題を解決するための手段】
【０００４】  合成樹脂製の尿瓶１を従来の横置き形状に加えて、縦置き形状にして安定性も持たせた形状にし、射出成形機等で成形し、尿瓶（１）の尿収納部は男性、女性共用とし、先端部の尿受け部（２）に、男性用（３）、女性用（４）の受け口部を挿入する。男性用、女性用の受け口部の内部は玉型弁（５）形状にし、上部つまみ（６）を９０度左右一方に回転すると玉型弁（５）が開き、再度左右に９０度回転すると玉型弁（５）が閉まり、尿と臭気が外部に漏れないようにする。これにより二箇所の弁が閉まり尿漏れがなく、臭気も漏れない。
【発明の効果】
【０００５】  尿瓶の尿収納部は男女共用で、男性用受け口部、女性用受け口部を交換できる横型、縦型兼用の尿瓶であり、男女受け口部の内部に玉型弁を設け、上部つまみを左右一方向に９０度回すことで容易に尿路を開閉可能にした、尚、漏れと臭気は二箇所の弁のため、尿漏れ、臭気もれが完全に防止出来る効果が期待できる、こぼれない縦型、横型尿瓶。
【発明を実施するための最良の形態】
【０００６】  以下、本発明の実施の形態を説明する。
（イ）合成樹脂製の横型、縦型共用できる形状の尿瓶を設ける。
（ロ）尿瓶の尿収納部は共用にする。
（ハ）尿瓶の先端部の受け部に男性用の尿受け口部、又は女性用の尿受け口部を取りつける。
（ニ）受け口部の内部に玉型弁が内蔵されており、玉型弁上部のつまみを左右一方向に９０度回転させることにより尿路の開閉が可能になる。
（ホ）尿瓶の尿収納部は共用で、男女交換可能のため男性用受け口部を外し、女性用受け口部をネジ込み挿入する。玉型弁は男子用と構造は同一である。
（ヘ）玉型弁を使用することで、２箇所を塞ぐことになり、尿漏れ、臭気止め効果がある。
本発明は、以上の構成よりなっている。
【図面の簡単な説明】
【０００７】
【図１】  本発明の男性用尿瓶の正面図
【図２】  本発明の男性用尿瓶の右側面図
【図３】  本発明の男性用尿瓶の左側面図
【図４】  本発明の男性用尿瓶の平面図
【図５】  本発明の女性用尿瓶の正面図
【図６】  本発明の男性用受け口部の断面図
【図７】  本発明の女性用受け口部の断面図
【図８】  本発明の男性用受け口部の正面図
【図９】  本発明の男性用受け口部の平面図
【図１０】  本発明の男性用受け口部の右側面図
【図１１】  本発明の男性用受け口部の左側面図
【図１２】  本発明の男性用、女性用の玉型弁の正面断面図
【図１３】  本発明の男性用、女性用の玉型弁の他の正面断面図
【符号の説明】
【０００８】    １  尿瓶
２  尿収納部
３  男性用受け口部
４  女性用受け口部
５  玉型弁
６  つまみ
【図１】
2007301329.tif 000003
【図２】
2007301329.tif 000004
【図３】
2007301329.tif 000005
【図４】
2007301329.tif 000006
【図５】
2007301329.tif 000007
【図６】
2007301329.tif 000008
【図７】
2007301329.tif 000009
【図８】
2007301329.tif 000010
【図９】
2007301329.tif 000011
【図１０】
2007301329.tif 000012
【図１１】
2007301329.tif 000013
【図１２】
2007301329.tif 000014
【図１３】
2007301329.tif 000015
(57)【要約】      （修正有）【課題】洋式便器の便座と便器本体の隙間から、小便が漏れることを防ぐ便器を提供する。【解決手段】男性が洋式便器に座って小便をしたとき、小便を便器本体へ誘導する小便誘導板を便座の前方裏面に設けた。【選択図】図３
2007301323.tif 000002
【特許請求の範囲】
【請求項１】
洋式トイレで男性が便座へ据わって小便をしても、便器本体と座蓋の隙間から小便が零れないような構造の洋式便器。
【発明の詳細な説明】
【技術分野】
【０００１】本発明は洋式便器の便座の前部に小便誘導板を設け、便器本体と便座の隙間から小便が零れないようにしたものである。
【技術背景】
【０００２】従来、洋式便器は便座が平坦なものがあった。
【発明の開示】
【発明が解決しようとする課題】
【０００３】従来の洋式便器では、男性が便座へ座って小便をすると、性器の形状から便座と便器本体の隙間から小便が漏れることが多々あった。
【課題を解決するための手段】
【０００４】便座の前方に小便誘導板を設け、小便を便器本体へ誘導して便座と本体の隙間へ小便が侵入しないようにする。
【発明の効果】
【０００５】便座の前方へ小便誘導板を設けることにより、小便が本体へ誘導されるので、便座と本体の隙間から小便が漏れることが無くなる。
【発明を実施するための最良の形態】
【０００６】以下、本発明の実施の形態について説明する。
便座の前方に小便誘導板を設けて、男性性器から放出された小便を便器本体へ誘導する。
このことにより、便座と便器本体の隙間へ小便が入り込まないようになり、便座と便器本体の隙間から小便は漏れない。
【図面の簡単な説明】
【０００７】
【図１】改良前
【図２】小便が漏れる状態
【図３】改良後の破断面図
【符号の説明】
【０００８】１便器本体
２便座
３小便誘導板
【図１】
2007301323.tif 000003
【図２】
2007301323.tif 000004
【図３】
2007301323.tif 000005
(57)【要約】      （修正有）【課題】片手で瞼を固定拡大し瞬きを押さえコンタクトレンズを容易に装着脱できるスティックを提供すること。【解決手段】スティック１は、瞼を固定することができるシリコンゴム２、及び瞼を固定拡大することができるループを有する。使用する場合は、スティック１に下瞼を固定するシリコンゴム２を接続し、上瞼を固定拡大するループ３と一体化する。装着脱が容易以外の効果としては、瞬きを抑えることにより目薬などを点眼しやすくなる。【選択図】図１
2007301321.tif 000002
【特許請求の範囲】
【請求項１】
コンタクトレンズの着脱を容易にすることを特徴とするスティック。
【請求項２】
前記スティックに瞼を固定することができるシリコンゴムを設けたことを特徴とするスティック。
【請求項３】
前記スティックに固定拡大することができるループを設けたことを特徴とするスティック
【発明の詳細な説明】
【技術分野】
【０００１】  この発明は、コンタクトレンズの着脱などに用いる器具の形状に関する。
【背景技術】
【０００２】  従来のコンタクトレンズは両手の指によって瞼を押し広げ装着脱する形状を、図１に示すように瞼を固定拡大することによって装着脱を容易にするスティックである。
【発明の開示】
【発明が解決しようとする課題】
【０００３】  今日のコンタクトレンズは両手指による装着脱を強いられ、なれない場合などは瞬きによって中々装着等が困難である。そこでこの発明は、片手で瞼を固定拡大し瞬きを押さえコンタクトレンズを容易に装着脱できるスティックを提供することを課題とする。
【課題を解決するための手段】
【０００４】  以上の課題を解決するために、第一発明は、コンタクトレンズを容易に装着脱できることを特徴とするスティックである。第二発明は、スティックに瞼を固定するためのシリコンゴムをもうけたスティックである。また、第三発明は、固定拡大することができるループを設けたスティックである。
【発明の効果】
【０００５】  第一発明、または第二発明によれば、片手で瞼を固定拡大しコンタクトレンズを容易に装着脱できる。
【発明を実施するための最良の形態】
【０００６】  この発明の一実施形態を、図１に示す。
この本体を１とし、下瞼を固定するシリコンゴム（２）を接続し、上瞼を固定拡大するループ（３）と一体化する。【０００７】「実施形態の効果」
この実施形態によれば、片手で瞼を固定拡大しコンタクトレンズを容易に装着脱できる。【０００８】「他の実施形態」
図１の実施形態では、目薬などを瞬きを抑えることにより点眼しやすくなる。
【図面の簡単な説明】
【０００９】
【図１】この発明の一実施形態を示す斜視図である。
【符号の説明】
【００１０】１  スティック        ２  シリコンゴム
３  ループ
【図１】
2007301321.tif 000003
(57)【要約】【課題】  一般的なユニットバスでは洗い場がないためにシャワーを浴びてから入浴する際に浴槽の掃除を手抜きする傾向にあり、不衛生になりがちという問題があった。これらの問題はユニットバスが洗い場と浴槽を兼ねているために起こる。またユニットバス以外の一般の浴槽においてもほぼ毎日使うものであるために清潔を保つには掃除の手間がかかるものである。【解決手段】本発明では浴漕に敷いて、その上からシャワーを浴びたり、入浴のために湯を溜めたりすることのできるライナーを考案した。この装置を用いることにより、使用者にとって浴槽の掃除を簡単にすることができる。【選択図】図２
2007301324.tif 000002
【特許請求の範囲】
【請求項１】
浴槽に敷いて固定しておけるライナーであり、固定した状態でその上からシャワーを浴びること、またその上から湯を張ることができる。この装置を用いることによって、浴槽を常に清潔にしておけることができる上、日常における浴漕の掃除が簡潔となる。
【発明の詳細な説明】
【技術分野】
【０００１】  本発明は、一般家庭においてユニットバスの浴槽または通常の浴漕に取り付けられる部品装置に関する。
【発明の開示】
【発明が解決しようとする課題】
【０００２】  ユニットバスなどにおいて、シャワーだけでなく湯にもつかりたいという場合に、これまでは本発明のような装置がないために、シャワーを浴び終わってから湯を溜める前に浴槽を掃除する手間がかかった。その際の掃除は手を抜いてしまう傾向にあり、浴槽に汚れが残りがちである。つまり、そのような手を抜いた掃除を続けることは、洗い場に湯を貯めるのと似たような状況であるため不衛生であるという問題点がある。また掃除の際の洗剤などが浴槽内に残っていることもありうるので、健康に害を及ぼす可能性があるという問題点もある。ユニットバスだけでなく通常の浴槽においても掃除を省略したいときなどにこの装置を用いることができる。【０００３】  本発明は上で述べたような掃除の手間がかかるという問題を解決しようとするものであり、浴槽を常に清潔に保つことと、浴漕の掃除を簡単に、かつ省略することを目的としている。
【課題を解決するための手段】
【０００４】  浴漕に、このライナー装置を浴槽の底から上部分にかけて敷きつめる。浴槽の上部では両面テープなどにより固定することができる。このライナーの上から使用者の選択によりシャワーを浴びるか湯を溜める。【０００５】  ユニットバスにおいては浴槽の保護のため、普段のシャワー時にこの装置を使用することにより、常に浴槽を清潔に保つことができるので、湯を溜める際にはこのライナーを外すか、または浴槽の掃除を簡単に済ませるだけで入浴が可能となる。
【発明の効果】
【０００６】  本発明を用いることによって浴槽の掃除を省略または簡単にすることができるため、ユニットバスなどの使用者にとって、シャワーを浴び終わってから浴槽に湯を溜める際の掃除する手間が省ける。【０００７】  ユニットバス以外の一般的な浴槽において、掃除を省略したいときにこの装置を用いることができる。【０００８】  使い捨て、または数回まで使用可とすることにより、清潔を保つことができる。
【発明を実施するための最良の形態】
【０００９】  以下、本発明の実施の形態を図１〜３に基づいて説明する。【００１０】  図においては、薄く柔らかくて伸縮性のあるライナーであり、様々な浴槽のサイズに対応してある。浴槽５の大きさに合わせて底から側面とその上にわたり敷いておく。底に当る部分１には滑り止めの工夫がされている。１は底に、２ａ−２ｄはそれぞれ側面に合わさるようになっている。３ａ−３ｈはこの装置を浴槽に固定できるようにテープなどで加工がしてある。４は排水口に合わさる部分である。５は浴槽の断面で、本発明とは直接関係ないものであるが、本発明は５に取り付けて使うものなので図に示した【００１１】  以下、上記構成の動作を説明する。一般的な浴槽５において１が底になるように，  ２ａ−２ｄがそれぞれ側面になるように合わせてこのライナー装置を敷きつめる。３ａ−３ｈはそれぞれ浴槽と合わさる側にテープなどで加工がされており、浴槽の側面の上部に取り付け固定することができる。浴漕表面が濡れていてもしっかり貼りつくような工夫がされているか、浴槽の上部分を布などで軽く拭いてから固定することができるようになっている。４は排水口に合わせて取り付け、排水ができるように孔や穴などがあいてある（図は一例）。４が下部へ向かって少しくぼんでいることにより、湯を溜める際にはその上からゴム栓などのストッパーを取り付ける事ができるようになっている。【００１２】  ライナーは水の浸透されない柔らかい素材であって丈夫であること、かつ、環境への配慮が充分にされた素材であることが望ましい。
【図面の簡単な説明】
【００１３】
【図１】本発明の実施形態を示す袋状のライナー装置で開口部を上として真上から見た図であり、奥行きのある様子を示した
【図２】このライナー装置を一般的な浴槽に取り付けた状態で真横から見たＡ−Ａ線断面図。本発明は非常に薄い形状のものであるが、断面図であることを示す斜線をひくために図では厚みのあるように示した。
【図３】４を真上から見た上で図２より拡大した図
【符号の説明】
【００１４】１          ライナー本体の下になる部分で、浴槽の底部に合わさる。
２ａ−２ｄ  ライナー本体の側面に当る部分で、浴槽の各側面に合わさる。
３ａ−３ｈ  固定されるテープなどの加工がされた部分
４          排水口と合わさる部分
５          浴槽本体
【図１】
2007301324.tif 000003
【図２】
2007301324.tif 000004
【図３】
2007301324.tif 000005
(57)【要約】【課題】  従来絆創膏と止血材を一つにしたものは無いそれを一つにして便利な止血材を付けた絆創膏を提供する【解決手段】  キザミタバコを薄紙で包むか巻くかしてそれを絆創膏にガーゼと共に取付けた事を特徴とする【選択図】図３
2007301314.tif 000002
【特許請求の範囲】
【請求項１】
止血材・すなわち乾燥葉タバコを刻んだキザミタバコを薄紙で包んだ止血材及びガーゼとそれを保持する絆創膏とカバーシートで成る止血材付バンソウ膏
【発明の詳細な説明】
【技術分野】
【０００１】この発明は小さな切傷等の出血を止める効果に関するものであるイ，  乾燥葉タバコを刻みキザミタバコを作るロ，  そのキザミタバコを小さく薄紙で包むか巻くハ，  小さく包むか巻いたキザミタバコをガーゼと共に絆創膏にセットする以上のように使い易く構成された、小さな切傷等に用いる止血材
【背景技術】
【０００２】従来このような止血材と絆創膏及びガーゼと一体になったものは無い
【発明の開示】
【発明が解決しようとする課題】
【０００３】しかし、これでは一寸不便である
【課題と解決するための手段】
【０００４】出血する傷口をキザミタバコ止血材で被うと同時に止血材の脱落を防ぎ止める役割をガーゼと絆創膏で行うことで解決した。包帯を用いるより簡単である
【発明の効果】
【０００５】本発明はこのような構成であり止血材で傷口を被うと同時にその止血材を傷口から脱落しないようガーゼと絆創膏で被う事により止血の効果を大にする
【発明を実施するための最良の形態】
【０００６】乾燥葉タバコを刻んだキザミタバコを薄紙で小さく包みそれを絆創膏とガーゼ、そしてカバーシートで保持する
【図面の簡単な説明】
【０００７】
【図１】本発明の側面図である
【図２】図１の断面図である
【図３】参考図
【図１】
2007301314.tif 000003
【図２】
2007301314.tif 000004
【図３】
2007301314.tif 000005
(57)【要約】      （修正有）【課題】  入院中の寝たきり状態の患者、又は一人で動けても排尿のうまく出来ない患者等に対し、挿入時や交換時に苦痛を与えない鍔・蛇腹付き排尿管を提供する。【解決手段】  溝付き蛇腹排尿管１の一端に４片の鍔２を付け、性器３の尿道口に押し当て、鍔・溝付き蛇腹排尿管と一体の鍔２をテ−プ４で固定することを特徴とする。【選択図】図２
2007301311.tif 000002
【特許請求の範囲】
【請求項１】
中心軸に対し数本の溝のある蛇腹排尿管（１）の一端に鍔（２）のついた、鍔・溝付き蛇腹排尿管。
【発明の詳細な説明】
【発明の詳細な説明】
【技術分野】
【０００１】この発明は、溝付き蛇腹排尿管の一端に鍔を付けた、鍔・溝付き蛇腹排尿管である。
【背景技術】
【０００２】従来は、ストロ−状の一本の排尿管であった。
【発明が解決しようとする課題】
【０００３】今までの排尿管は次のような欠点がある。
（イ）排尿管の出し入れには摩擦により苦痛を伴う。
（ロ）この課題は、女性も同じである。
本発明は、摩擦を減らし苦痛を軽減するためになされたものである。
【課題を解決するための手段】
【０００４】尿道口径より、やや細い蛇腹排尿管の中心軸に対し平行に数本の溝がある蛇腹排尿管の一端に、４片の鍔を付け、その鍔の中心を尿道口の先端に押当てた状態で、性器の外側に鍔を折り曲げてテ−プ等で固定し、鍔・溝付き蛇腹排尿管を尿道に押し込み始めると、鍔・溝付き蛇腹排尿管は内側に折れ曲がりながら徐々に尿道内に入って行く。その時、鍔・溝付き蛇腹排尿管と尿道との間には摩擦が生じずに接触状態を続けながら膀胱に到達する。
本発明は、以上の構成よりなる鍔・溝付き蛇腹排尿管である。
【発明を実施するための最良の形態】
【０００５】以下、本発明の実施の形態について説明する。
鍔・溝付き蛇腹排尿管管の中心軸に対し平行に数本の溝を付け、鍔・溝付き蛇腹排尿管管の中心軸に対し直角に蛇腹状を形成し、その一端に、鍔・溝付き蛇腹排尿管管と同径の孔があいている４片からなる鍔が一体として付いている。その鍔の中心部を尿道口に押し当てその状態で、鍔を曲げて性器にテ−プ等で固定する。静かに押し込み始めると、尿道と管との間には摩擦は少なく、膀胱に到達する。
本発明は、以上の様な構造からなっている。
【発明の効果】
【０００６】  鍔・溝付き蛇腹排尿管なので、手術後、麻酔が効いている内は、挿入されても感じないが、意識がはっきりしている交換の時は摩擦もなく患者に苦痛を与えない。
【図面の簡単な説明】
【図１】  本発明の斜視図である。
【図２】  本発明の一部断面拡大図である。
【符号の説明】
１    溝付き蛇腹排尿管
２    鍔
３    性器
４    テ−プ
【図１】
2007301311.tif 000003
【図２】
2007301311.tif 000004
(57)【要約】      （修正有）【課題】トイレットペーパーをつまみ出すことを容易にするために、鉤状の突出片を有するカッター先端部を開閉出来るようにカッター基部と蝶番状に連結したトイレットペーパー装着器具のカッターの提供。【解決手段】鉤状の突出片７を有するカッター先端部１を開閉出来るように、カッター基部２とを蝶番状に連結し、カッター先端部１を持ち上げると、突出面６を有する外周部４が、ペーパーを引出す方向に加圧して回るので、特に鉤状に突出して残っているペーパーの先頭部をロールから浮かす働きをする。ペーパーを切断する時は、カッター先端部１をおろすので、外周面６の加圧による逆回転でペーパーが逆方向によじられ、鉤状の先頭部分９がロールから剥離した状態になる。【選択図】図１
2007301319.tif 000002
【特許請求の範囲】
【請求項１】
（イ）  カッター基部（２）の先端と、カッター先端部（１）の後端を蝶番状にして連結し、開閉出来るようにする。
（ロ）  蝶番芯棒（３）を巻いているカッター先端部（１）の外周部（４）には、凹凸状の突出面（６）を設け、若しくはゴム板などを接着して、カッター基部（２）の外周部（５）より直径を大きくする。
（ハ）  カッター先端部（１）の先端は、鉤状に突出片（７）を形成する。
（イ）（ロ）（ハ）から成るトイレットペーパー装填器具のカッター
【発明の詳細な説明】
【技術分野】
【０００１】  本発明はトイレットペーパーの装填器具のカッターの構造に関する。
【背景技術】
【０００２】  従来のカッター部は、先端が直線、又は直線状の一枚の板で作られている。
【発明の開示】
【発明が解決しようとする課題】
【０００３】  従来の器具のカッターでペーパーを切ると、切口がロールにくっつきやすく、亦、ロールが動いて不安定になる上に、回転するので、ペーパーの先頭部分をつまみ出すのに難渋するのを解決しようとするものである。
【課題を解決しようとする課題】
【０００４】  トイレットペーパーのロールの動きを止めることが出来、且、ペーパーの先頭部分がロールから少し浮き上がった状態になっていると、ペーパーをつまみ出すのが容易になる。
そこで、鉤状の突出片（７）を有するカッター先端部（１）を開閉出来るように、カッター基部（２）と蝶番状に連結した構造のカッターを考案し、之を解決しようとするものである。
【発明の効果】
【０００５】  カッター先端部（１）を持ち上げると、突出面（６）を有する外周部（４）が、ペーパーを引出す方向に加圧して回るので、特に鉤状に突出して残っているペーパーの先頭部をロールから浮かす働きをする。
ペーパーを切断する時は、カッター先端部（１）をおろすので、外周部（４）の突出面（６）の加圧による逆回転でペーパーが逆方向によじられ、鉤状の先頭部分（９）がロールから剥離した状態になる。
【発明を実施するための最良の形態】
【０００６】（イ）  カッター基部（２）の先端と、カッター先端部（１）の後端を蝶番状にして連結し、開閉出来るようにする。
（ロ）  蝶番芯棒（３）を巻いているカッター先端部（１）の外周部（４）には、凹凸状の突出面（６）を設け、若しくはゴム板などを接着して、カッター基部（２）の外周部（５）より直径を大きくする。
（ハ）  カッター先端部（１）の先端は、鉤状に突出片（７）を形成する。
（イ）（ロ）（ハ）から成るカッターをトイレットペーパー装填器具に装備するのが、最良の形態である。
【実施例１】
【０００７】  自宅で実施しているが、ペーパーをつまみ出すのに難渋することがない。
【産業上の利用可能性】
【０００８】  住宅は勿論、官公庁、会社やホテル、駅、電車、航空機、汽船など公共のトイレの場合、特に薄くて固巻きのペーパーロールに効果が大きいので、喜ばれると思う。
【図面の簡単な説明】
【０００９】
【図１】  本発明のカッター先端部（１）を持ち上げた状態の斜視図。
【図２】  本発明のカッター先端部（１）を下ろした状態の断面図。
【図３】  本発明のカッター先端部（１）を上げた状態の断面図。
【符号の説明】
【００１０】１．カッター先端部
２．カッター基部
３．蝶番部の芯棒
４．カッター先端部の蝶番の外周部
５．カッター基部の蝶番の外周部
６．カッター先端部の蝶番の外周部に施された凹凸状の突出面
７．カッター先端部の先端突出片
８．トイレットペーパー
９．トイレットペーパーの鉤状の先頭部分
１０．トイレットペーパーの装填器具にカッターを装着する芯棒を通す穴
【図１】
2007301319.tif 000003
【図２】
2007301319.tif 000004
【図３】
2007301319.tif 000005
(57)【要約】【課題】トイレットペーパーの取り出す紙の切れ端部が目視でき同時に切れ端部が常にロール紙から剥離していることで取り出し易いトイレットペーパーホルダーを提供する。【解決手段】▲１▼ロール紙軸棒と平行な横棒を設ける。これは、ロール紙から紙切れ端部を剥離させるとともに紙を切り取る際に傘との間に挟んで紙を固定する二つの機能を持つものである。▲２▼傘に窓を設ける。紙が常に目視でき、その部分を摘んで紙を引き出すためのものである。これら▲１▼、▲２▼を特徴とする、紙が引き出し易いトイレットペーパーホルダー。【選択図】図３
2007301313.tif 000002
【特許請求の範囲】
【請求項１】
ロール紙軸（９）と平行な横棒（４）を設け、傘（１）に窓（３）を設けた、紙が引き出し易いトイレットペーパーホルダー。
【発明の詳細な説明】
【技術分野】
【０００１】トイレットペーパーホルダーに紙を引き出し易くした機能を備えたものである。
【背景技術】
【０００２】従来のトイレットペーパーホルダーは、紙を引き出す時、毎回ロール紙に密着した紙の切れ端を探るために下から手でロール紙を回転させるなどの何らかの方法でロール紙に密着した部分を剥離させ、切れ端部を探し、摘み出す操作が必要であった。
その操作ゆえにスピーディーで且つスマートな紙の引き出しが出来なかった。
【発明の開示】
【発明が解決しようとする課題】
【０００３】紙を引き出し易くする為には、以下の３点の課題がある。
▲１▼紙を切り取った後でもロール紙から切れ端部が剥離している必要がある。
▲２▼切り取った紙の切れ端部が常に一部が覗き出ていてその部分を特別な操作をせずにそのまま指で摘んで引き出しが可能であること。
▲３▼上記▲１▼▲２▼の連続繰り返しが可能であること。
当考案は、これらの問題点を解決するためになされたものである。
【問題を解決するための手段】
【０００４】（イ）紙の切れ端部（５）をロール紙（７）から適度な間隔（８）で剥離させ、且つ紙切り取り時に傘（１）との間に紙を挟んで固定させる為のロール紙軸棒（９）と平行な横棒（４）設ける。
（ロ）次に引き出す紙を目視でき、且つその部分を摘んで引き出すための窓（３）を傘（１）に設ける。
【発明の効果】
【０００５】  ロール紙（７）から剥離した（５）が窓（３）によって見えるため、紙が摘み易く引き出しが容易となり、スピーディーで且つスマートな操作となった。
【発明を実施するための最良の形態】
【０００６】（イ）傘（１）は、横棒（４）に接触する部分に傘曲り部（６）を設け、且つロール紙交換を容易にするために上に跳ね上げが可能な形状とする。［図２］
（ロ）傘曲り部（６）から紙切り取り部（２）の間に窓（３）を設ける。窓（３）の大きさは、指が２，３本入る大きさとする。［図３］
（ハ）紙を引き出す時に指が紙切り取り部（２）に触れる時の違和感を少なくする為窓（３）と紙切り取り部（２）までの間隔Ｂ（１０）は、できるだけ短くし、また傘（１）の材質もできるだけ薄いものとする。
（ニ）ロール紙軸棒（９）と平行な横棒（４）との隙間Ａ（８）は、セットしたロール紙の外径面が指に干渉しない程度の２センチほどに設定する。［図４］
（ホ）これらにより窓（３）に見える紙を引き出して傘（１）を上から押さえて紙切り取り部（２）で紙を切り取る動作を繰り返し行う事ができる。
本発明は、以上のような構造で、使用方法は、以下の順序となる。
（イ）ロール紙（７）の取り付けは、傘（１）を上げてロール紙（７）を上から取り付ける。
その時に紙の切れ端部（５）を横棒（４）に掛けてから傘（１）を下ろす。［図２］
（ロ）紙の引き出しは、窓（３）に見える紙を下から摘んで引き出す。
（ハ）紙の切り取りは、傘（１）を上から押して横棒（４）に紙を挟み固定させ紙切り取り部（２）を使用して切り取る。
（ニ）以上（イ）〜（ハ）を繰り返して使用する。
【図面の簡単な説明】
【０００７】
【図１】本発明の全体斜視図。
【図２】ロール紙を取り付ける状態を示す斜視図。
【図３】ロール紙取り付けた状態の斜視図。
【図４】本発明の側面断面図。
【符号の説明】
【０００８】        １  傘
２  紙切り取り部
３  窓
４  横棒
５  紙切れ端部
６  傘曲り部
７  ロール紙
８  隙間Ａ＝ロール紙（７）と紙切れ端部（５）の隙間
９  ロール紙軸棒
１０  間隔Ｂ＝窓（３）と紙切り取り部（２）までの間隔
【図１】
2007301313.tif 000003
【図２】
2007301313.tif 000004
【図３】
2007301313.tif 000005
【図４】
2007301313.tif 000006
(57)【要約】【課題】  食事に於いて、必要最低限の動作としてある、挟む、摘む、刺す、切る、掬うという全ての動作を賄うには、箸とスプーンを両方使う必要がある。しかし、箸とスプーンの両方を使う場合は持ち替えが面倒である。箸は掬う動作が出来なく、スプーンでは挟む、摘む、刺す等の動作が苦手であった。【解決手段】  スプーン機能付き箸は、掬う動作を苦手とする箸の問題点を解決するために、箸の先端或いは、中腹部分にスプーン状の部材を接合することにより、従来掬う動作の出来なかった箸で汁物などを掬うことが出来るようになり、更に、従来、箸とスプーンを併用していた場面でもスプーン機能付き箸を使用することで持ち替えの煩わしさから解放される。【選択図】図１
2007301312.tif 000002
【特許請求の範囲】
【請求項１】
２本の棒状の部材から成る、箸の先端、あるいは中途の部分にそれぞれスプーン形状の部材を接合した形状を有することを特徴とする、スプーン機能付き箸。
【請求項２】
請求項１に加えて、２本の棒状の部材を結合して使用する際に、スプーン形状の部分の結合性を高める為に、スプーン状の部材の片方に、もう片方のスプーン状の部材を乗せる為の突起を付けたスプーン機能付き箸。
【請求項３】
請求項２に加えて、結合性を高めるために付けた突起に溝を掘り、もう片方のスプーン形状の底の裏側に突起したレールを付け、スプーン状の部材を定位置に乗せる機能を付けたスプーン機能付き箸。
【発明の詳細な説明】
【技術分野】
【０００１】  この発明は、快適に食事をすることを目指す為、箸とスプーンの機能を統合し、使い易くした食器に関するものである。
【背景技術】
【０００２】  箸は、２本の真っ直ぐの棒から成る食器であり、食事をする際は手に持って、食品を挟む、摘む、刺す、切る為に使用していたが、液状或いは、粉末状の食品を扱うのは苦手とされていた。例えば、図６のような形状をしている。【０００３】  また、スプーンは棒状の柄の部分の片側の先端がお椀状に成った食器であり、主に食品を掬う場合に使用していた。これは、特に食品が液状或いは、粉末状の場合に重宝された。例えば、図７のような形状をしている。
【発明の開示】
【発明が解決しようとする課題】
【０００４】  食事に於いて、必要最低限の動作として、挟む、摘む、刺す、切る、掬うがあるが、この内、箸は挟む、摘む、刺す、切る動作を、スプーンは掬う動作を賄う事ができる。【０００５】  しかしながら、箸とスプーンの両方を使う事は持ち替えが面倒であるといった問題点があった。例えば、春雨の入った鍋料理を考えると、箸では汁は掬えないし、スプーンでは春雨を取るのは難しいといった問題点があった。
【課題を解決するための手段】
【０００６】  請求項１の発明は、掬う動作を苦手とする箸の問題点を解決するために、箸の先端或いは、中腹部分にスプーン状の部材を接合した。【０００７】  請求項２の発明は、請求項１の発明に加え、片方のスプーン状の部材下部に、もう片方のスプーン状の部材との結合性を高める為に、突起した引っ掛けをつけた。【０００８】  請求項３の発明は、請求項２の発明に加え、もう片方のスプーン状の部材とずれ無く定位置に結合させる為に、前項の突起した引っ掛けに溝を掘り、もう片方のスプーン状の部材の底に突起したレールを付けた。
【発明の効果】
【０００９】  本発明によれば、従来掬う動作の出来なかった箸で汁物などを掬うことが出来るようになり、更に従来箸とスプーンを併用していた場面でも、本発明であるスプーン機能付き箸を使用することで持ち替えの煩わしさから解放される。
【発明を実施するための最良の形態】
【００１０】  棒Ｌと棒Ｒの２本の棒から構成されている点は従来の箸と同等であるが、それぞれの棒状の本体ＬａとＬｃ、ＲａとＲｃの中間部に半分に分割されたスプーン部Ｌｂ、Ｒｂがそれぞれ接合されている。【００１１】  棒Ｌと棒Ｒは通常、箸と全く同様に使用する事ができる。これによって、食品等を挟む、摘む、刺す、切るといった箸の果たす役割を全て賄うことができる。【００１２】  また、棒Ｌと棒Ｒを、Ｌｂ部とＲｂ部が一体化されるようにくっつけて使用した場合は、Ｌｂ部とＲｂ部が完全なスプーン型となる事により、箸の全機能に加えて掬う動作も可能になり、流動体や粉末状の物を掬う事が出来る様になる。【００１３】  更に、スプーン形状の部分の結合性を高める為に、スプーン状の部材ＬｂまたはＲｂのどちらか片方に、もう片方のスプーン状の部材を乗せる為の突起した引っ掛け３ａを付ける事により、棒Ｌと棒Ｒのスプーン状部分ＬｂとＲｂを、より確実に結合させることが出来る。【００１４】  更に、スプーン形状の部分をずれ無く定位置に結合させる為に、スプーン状の部材下部に付けた突起した引っ掛け３ａに溝４ａを掘り、溝４ａに滑り込ませる為に、もう片方のスプーン状の部材の底に突起したレール４ｂを付けた。【００１５】  突起した引っ掛け３ａおよび溝４ａおよび突起したレール４ｂ等の左右非対称の部分は左右逆に付ける事もあり得る。
【産業上の利用可能性】
【００１６】  以上のように、本発明によると、従来箸とスプーンの両方を用意しなくてはならなかった場面でもスプーン機能付き箸のみを用意すれば済み、また、形状が簡単な事により、量産が容易であるため、原料・輸送費などの節減を図ることが出来る。
【図面の簡単な説明】
【００１７】
【図１】本発明であるスプーン機能付き箸を示す図である。
【図２】図３の断面図の断面位置を示す図である。
【図３】本発明であるスプーン機能付き箸の突起した引っ掛け部分の断面図である。
【図４】本発明であるスプーン機能付き箸の溝および、突起したレールを示す側面図である。
【図５】図３および、図４の外観を示す図である
【図６】箸を示す図である。
【図７】スプーンを示す図である。
【符号の説明】
【００１８】Ｌ    スプーン機能付き箸の左側部。
Ｒ    スプーン機能付き箸の右側部。
Ｌａ  左側部の箸部分の柄部。
Ｌｂ  左側部のスプーン部。
Ｌｃ  左側部の箸先端部。
Ｒａ  右側部の箸部分の柄部。
Ｒｂ  右側部のスプーン部。
Ｒｃ  右側部の箸先端部。
２ａ  図３の断面図の断面の位置。
２ｂ  図３の断面図の視線の方向
３Ｌ  スプーン機能付き箸の左側部のスプーン形状部断面図。
３Ｒ  スプーン機能付き箸の右側部のスプーン形状部断面図。
３ａ  スプーン機能付き箸の左側部に付加された突起した引っ掛け部。
４ａ  スプーン機能付き箸の左側部に付加された突起した引っ掛け部に掘られた溝。
４ｂ  スプーン機能付き箸の右側部に付加された突起したレール。
５ａ  スプーン機能付き箸の左側部に付加された突起した引っ掛け部に掘られた溝。
５ｂ  スプーン機能付き箸の右側部に付加された突起したレール。
５ｃ  スプーン機能付き箸の左側部に付加された引っ掛け部。
【図１】
2007301312.tif 000003
【図２】
2007301312.tif 000004
【図３】
2007301312.tif 000005
【図４】
2007301312.tif 000006
【図５】
2007301312.tif 000007
【図６】
2007301312.tif 000008
【図７】
2007301312.tif 000009
(57)【要約】【課題】座った姿勢で快眠できる携帯枕を提供する。【解決手段】頭の周囲にＵ字に曲げたクッションを置くことで頭が倒れるのを防ぐ。【選択図】図１
2007301320.tif 000002
【特許請求の範囲】
【請求項１】
Ｕ字に曲げたクッションに、カバーをかけた携帯枕
【発明の詳細な説明】
【技術分野】
【０００１】本発明は、乗り物の座席に頭を安定させるための携帯枕に関するものである。
【背景技術】
【０００２】乗り物の座席は、居眠りをすると頭が安定しない。
【発明の開示】
【発明が解決しようとする課題】
【０００３】乗り物で居眠りをしたときに、目覚めると体が痛かったり、頭が倒れて何度も目覚めたりして、疲れが取れなかった。
【課題を解決するための手段】
【０００４】頭の周囲にクッションを置くことで、頭が倒れるのを防ぐ。
【発明の効果】
【０００５】頭の周囲のクッションにより、頭が倒れるのを防ぎ、頭を安定させることで、快眠できる。また、お年寄りや病人・子供など、体力のない人のベッドや椅子での使用も効果的である。
【発明を実施するための最良の形態】
【０００６】Ｕ字に曲げたクッションにやわらかいカバーをかけて、座席と頭の間に置いて、枕のくぼみに頭を寄りかからせる。頭の形や髪型によって、自分に一番快適な角度でクッションを当てる。
【図面の簡単な説明】
【０００７】
【図１】本発明の斜視図である。
【図２】本発明の使用中の正面図である。
【符号の説明】
【０００８】１は  クッション
２は  カバー
３は  乗り物の座席
【図１】
2007301320.tif 000003
【図２】
2007301320.tif 000004
(57)【要約】【課題】  線引きの際に定規の位置ずれが生じないようにし、インクが滲んだりしないようにすることにある。【解決手段】  四角細板形状で、弾性変形が自在な板材１を長手辺方向に沿ってアーチ状に湾曲成形したことを特徴とする構成、或いは板材１を三角板形状または半円形板形状とし、少なくとも一辺方向に沿ってアーチ状に湾曲成形した構成で、板材を弾力に逆らって押圧すると、板材の反撥力が作用して適度の力でぴったりと面着し、線引きを定規が位置ずれすることはなく、正確にして円滑に行うことができ、定規下面と紙面との間に間隙が形成されるので滲みが生じることはない。【選択図】        図１
2007301755.tif 000002
【特許請求の範囲】
【請求項１】
四角細板形状で、弾性変形が自在な板材（１）を長手辺方向に沿ってアーチ状に湾曲成形したことを特徴とする定規。
【請求項２】
三角板形状で、弾性変形が自在な板材（１）を、少なくとも一辺方向に沿ってアーチ状に湾曲成形したことを特徴とする定規。
【請求項３】
半円形板形状で、弾性変形が自在な板材（１）を、少なくとも一辺方向に沿ってアーチ状に湾曲成形したことを特徴とする定規。
【発明の詳細な説明】
【技術分野】
【０００１】
本発明は、線引きを確実且つ容易に達成する定規に関する。
【背景技術】
【０００２】
定規を用いての線引きは、一方の手で定規を押さえ、他方の手で筆記具の先端を定規の縁に当てて行うことになるが、その際の定規の縁に対する筆記具の押圧により定規が位置ずれし易く、失敗してしまうことが多々見られる。長い線を引くような場合にはこの失敗が顕著であり、特に児童には難しい作業である。
【０００３】
また、定規下面と紙面とは面接触しているので、水性ペンや万年筆で線を引いた際、乾き切っていないインクが定規下面に毛細管現象により入り込んだり、不用意に定規をずらしてしまうことにより、インクが滲んだり、すれたりする不都合があった。
【特許文献１】実開平１−１２５１９７号公報
【発明の開示】
【発明が解決しようとする課題】
【０００４】
上記文献１はカッティング用定規であって、定規を強く押さえることができるように中央部が浮上するように湾曲した構成が開示されているが、四角細板形状の定規の短辺方向に沿った湾曲であるため弾性変形量が小さく、従って有効な押圧力を加えることができるかどうか疑問が残り、また、押圧力を解いても長手辺は紙面に接触したままで浮上しないので、長手辺に沿ってインクで線を引いた場合には、上記したような滲む不都合を解消させることはできない。
【０００５】
よって本発明は、上述した従来技術の欠点、不都合、不満を解消するべく開発された定規であって、線引きの際に定規の位置ずれが生じないようにし、インクが滲んだりしないようにすることを目的とする。
【課題を解決するための手段】
【０００６】
上記課題を解決するため、本発明の定規は、四角細板形状で、弾性変形が自在な板材を長手辺方向に沿ってアーチ状に湾曲成形したことを特徴とする構成である。また、三角板形状或いは半円形形状で、弾性変形が自在な板材を、少なくとも一辺方向に沿ってアーチ状に湾曲成形したことを特徴とする構成である。
【発明の効果】
【０００７】
従って本発明の定規にあって、板材の中心部を上方から弾力に逆らって押圧して板材下面を紙面に面接触させようとすると、板材の反撥力が作用して適度の力でぴったりと面着することになる。それ故、定規の長手辺或いは一辺に筆記具の先端を当てがって線引きをする場合、筆記具の押圧力が強く定規に作用しても定規が位置ずれすることはなく、正確にして円滑に行うことができる。
【０００８】
また、線引きが終了して板材に対する上方からの押圧力を解くと、板材はアーチ湾曲形状に弾性復帰し、定規下面と紙面との間に間隙が形成され、水性ペン等を使用して線引き行ってもインクが毛細管現象によって定規下面にまわってしまうことはなく、滲みが生じることはない。
【０００９】
そして、定規下面と紙面と画面接着していると摘みにくいのであるが、本発明では板材のアーチ湾曲形状の原形では中央部が浮き上がっているので、両長手辺或いは二辺を摘んで容易に移動させることができ、更には書類に紛れ込んでも書類が盛り上がり、書類を押さえれば弾撥力が感じられるので発見し易い等、多くの優れた作用効果を奏する。
【発明を実施するための最良の形態】
【００１０】
本発明の定規は、板材１を弾性変形が自在な合成樹脂板或いは金属板で成形した四角細板形状であって、長手辺２に沿ってアーチ状に湾曲成形した構成である。或いは、板材１を三角板形状または半円形形状とし、少なくとも一辺に沿ってアーチ状に湾曲成形する。
【実施例１】
【００１１】
板材１の上面中心部は凹部３となっていて板材に対する上方からの指での押圧をバランス良く達成でき、指がずれにくくなるようにしている。
【００１２】
また、板材１の四隅部は全てが直角ではなく、一隅部の直角部４を除き、夫々異なる曲率の弧状部５となっているので、好みの小さな円弧を描くこともできる。更には、長手辺２に沿ってテーパー面６を形成し、線引き時に筆記具の先端が長手辺２に沿って確実に紙面に当接できるようにしている。
【００１３】
尚、本発明では板材１を四角細板形状としたがこれに限定されるものではなく、三角定規、半円形定規とし（図示省略）、所定の少なくとも一辺が浮き上がる原形形状としても良いものである。
【図面の簡単な説明】
【００１４】
【図１】本発明にかかる定規の斜視図である。
【図２】（ａ）は平面図、（ｂ）は断面図である。
【符号の説明】
【００１５】
１    板材
２    長手辺
３    凹部
４    直角部
５    弧状部
６    テーパー面
【図１】
2007301755.tif 000003
【図２】
2007301755.tif 000004
(57)【要約】【課題】従来、様々な形の枕は市販されているが、いずれも人が睡眠している間、身体下の敷き布団やシーツに固定されていない。このような枕は、睡眠中に枕が敷き布団との相対移動が発生するため、頭部と枕とのずれが発生しやすく、肩こりや頸部捻挫が起こりやすい。また、枕の高さが調節できても、枕のずれや移動によって適切な高さが保てない。【解決手段】上記に述べたような問題点を解決するために、本発明においては、睡眠時に枕を身体下の敷き布団やシーツに固定し、また、枕の高さ調節マットを使用することにより、頭部と枕との適正な位置と高さが保ちやすく、睡眠時に発生する肩こりや頸部捻挫の防止に役立つ。【選択図】図２
2007301041.tif 000002
【特許請求の範囲】
【請求項１】
人が就寝時に使用し、身体下に敷く物に固定し、前記の敷く物との相対移動がない枕。
【請求項２】
請求項１に記載の敷く物は人が就寝時に頭部から肩以下の身体部分まで敷かれている敷き布団やシーツなどであって、前記の枕を固定できる枕固定用の敷く物。
【請求項３】
請求項１に記載の枕は前記の敷く物に常時に固定するタイプと、脱着できるタイプとの２タイプを有する固定型枕と枕固定用の敷く物。
【請求項４】
請求項３に記載の脱着をマジックテープ（登録商標）、あるいは、ファスナーなどにより実現することを特徴とする固定型枕と枕固定用の敷く物。
【請求項５】
前記の枕は敷きマットにより前記の枕の高さ調節ができる高さ調節マット付きの固定型枕と枕固定用の敷く物。
【請求項６】
請求項５に記載の高さ調節を行った後、就寝している間に前記の枕と前記の敷く物との相対移動が無く、前期の枕の高さも変動しないという特徴を有する、高さ調節マット付きの固定型枕と枕固定用の敷く物。
【請求項７】
前記の枕は前記の敷く物と一体になる固定型枕と枕固定用の敷く物。
【発明の詳細な説明】
【技術分野】
【０００１】
本発明は人が睡眠している間、枕が正常位置からずれるのを防ぎ、正しい睡眠姿勢を保つことにより頸部や肩部の疾病を予防することに資する。
【背景技術】
【０００２】
従来、様々な形の枕は市販されているが、いずれも人が睡眠している間、身体下の敷く物（たとえば、敷き布団やシーツなど）に固定されていない。
【発明の開示】
【発明が解決しようとする課題】
【０００３】
しかしながら、前記従来の枕には次のような問題があった。
まず、睡眠中に前記の敷く物との相対移動が発生するため、頭部と枕とのずれが発生しやすく、肩こりや頸部捻挫が起こりやすい。
また、枕の高さが調節できても、枕のずれや移動によって適切な高さが保てない。
【課題を解決するための手段】
【０００４】
上記に述べたような問題点を解決するために、本発明においては、睡眠時に枕を身体下の敷く物（たとえば、敷き布団やシーツなど）に固定し、また、枕の高さ調節マットを使用することにより、頭部と枕との適正な位置と高さが保ちやすく、睡眠時に発生する肩こりや頸部捻挫の防止に役立つ。
【発明の効果】
【０００５】
本発明においては、人が睡眠している時に、枕を身体下の敷く物（たとえば、敷き布団やシーツなど）に固定し、また、枕の高さ調節マットを併せて使用することを提案した。本発明の寝具を使用することにより、睡眠中に頭部と枕との適正な位置と高さが保ちやすく、睡眠時に発生する肩こりや頸部捻挫の防止に役立つ。
【発明を実施するための最良の形態】
【０００６】
図１は固定型枕と枕固定用の敷く物を示す。固定型枕と枕固定用の敷く物との間に相対移動が無い。固定型枕を枕固定用の敷く物に固定するために、図４に示すように、マジックテープ（登録商標）、ファスナー、縫い糸などを用いて、固定型枕を枕固定用の敷く物に固定する。なお、枕固定用の敷く物側にも、図４に示すように、固定枕の裏面と同じ配置パターンを設け、固定型枕を固定する。
【０００７】
図２は枕の高さ調節ができる高さ調節マット付きの固定型枕を示す。高さ調節マットの両面には、図４に示すように、固定枕の裏面および枕固定用の敷く物と同じようなマジックテープ（登録商標）、ファスナー、縫い糸などの配置パターンを設け、マジックテープ（登録商標）、ファスナー、縫い糸などを用いて、固定型枕および枕固定用の敷く物に固定する。
【０００８】
図３は枕固定用の敷く物と一体になる固定型枕を示す。この場合、固定型枕と枕固定用の敷く物とは製造時に一体化され、使用時に両方を分離することができない。
【０００９】
図４は定型枕を枕固定用の敷く物に固定するとき、および高さ調節マットを固定型枕と枕固定用の敷く物に固定するときに用いられるマジックテープ（登録商標）、ファスナー、縫い糸などの配置パターンの例を示す。なお、定型枕を枕固定用の敷く物に固定するとき、および高さ調節マットを固定型枕と枕固定用の敷く物に固定するときに用いられる他の配置パターンも考えられるが、これらを固定さえ実現できれば、どのような配置パターンも良い。
【００１０】
マジックテープ（登録商標）、ファスナーなどを用いることにより、定型枕と枕固定用の敷く物との脱着、および高さ調節マットと固定型枕と枕固定用の敷く物との脱着を簡単に行うことができ、脱着タイプの固定型枕が実現できる。
【００１１】
以上、上記実施の形態に基づき本発明に係る定型枕、枕固定用の敷く物、高さ調節マットおよび固定方法と脱着方法を具体例で説明したが、上記発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【図面の簡単な説明】
【００１２】
【図１】固定型枕と枕固定用の敷く物を示すグラフである。
【図２】固定型枕と枕固定用の敷く物および枕の高さ調節マットを示すグラフである。
【図３】枕固定用の敷く物と一体になっている固定型枕を示すグラフである。
【図４】定型枕を枕固定用の敷く物に固定するとき、および高さ調節マットを固定型枕と枕固定用の敷く物に固定するときに用いられるマジックテープ（登録商標）、ファスナー、縫い糸などの配置パターンの例を示すグラフである。
【図１】
2007301041.tif 000003
【図２】
2007301041.tif 000004
【図３】
2007301041.tif 000005
【図４】
2007301041.tif 000006